(57)【要約】      （修正有）【課題】緊密な結合を達成することができ、液体漏れによる浪費や設備損壊を防止することができる噴霧アセンブリ及びそれを含む噴霧器を提供する。【解決手段】噴霧アセンブリは、収容部と噴霧部を有する。収容部は、収容本体を有して、収容空間を定義し、収容空間は、霧化する液体を収容し、収容本体上に第一パターンＰ１を有する凹部２６を有する。噴霧部は、噴霧メカニズム３４及び噴霧メカニズム３４と電気的に接続する噴霧電気的接続部３２を有し、噴霧メカニズム３４は、第一パターンＰ１と対応する第二パターンＰ２を有し、噴霧メカニズム３４は、第二パターンＰ２により凹部２６上の第一パターンＰ１と互いに係合して、収容本体の凹部２６上に着脱可能な方式で設置される。本考案は、取り外しと装着が便利である以外に、別の固定素子がなくても緊密な結合を達成する。【選択図】図２ａ
0003202388.tif 000002
【実用新案登録請求の範囲】
【請求項１】
噴霧アセンブリであって、
収容本体を有して収容空間を定義し、前記収容空間は、霧化する液体を収容し、前記収容本体上に凹部を有し、且つ前記凹部上に第一パターンを有する収容部と、
噴霧メカニズム及び前記噴霧メカニズムと電気的に接続する噴霧電気的接続部を有し、前記噴霧メカニズムは、前記第一パターンと互いに対応する第二パターンを有し、前記噴霧メカニズムは、前記第二パターンにより前記凹部上の前記第一パターンと互いに係合して、前記収容本体の前記凹部上に着脱可能な方式で設置される噴霧部と、
を有することを特徴とする、前記噴霧アセンブリ。
【請求項２】
前記第一パターンは凸紋構造であり、前記第二パターンは、凹紋構造であり、前記凸紋構造と前記凹紋構造は、互いに対応することを特徴とする、請求項１に記載の噴霧アセンブリ。
【請求項３】
前記第一パターンと前記第二パターンは、環形であることを特徴とする、請求項２に記載の噴霧アセンブリ。
【請求項４】
前記第一パターンは、凹紋構造であり、前記第二パターンは、凸紋構造であり、前記凹紋構造と前記凸紋構造は、互いに対応することを特徴とする、請求項１〜３のいずれか一項に記載の噴霧アセンブリ。
【請求項５】
前記第一パターンと前記第二パターンは、環形であることを特徴とする、請求項４に記載の噴霧アセンブリ。
【請求項６】
更に固定蓋を有し、前記固定蓋の形状は、前記噴霧メカニズム及び前記噴霧電気的接続部と互いに対応し、且つ前記噴霧メカニズム及び前記噴霧電気的接続部を前記収容部上で被覆及び固定することを特徴とする、請求項１〜５のいずれか一項に記載の噴霧アセンブリ。
【請求項７】
噴霧器であって、請求項１〜６のいずれか一項に記載の噴霧アセンブリを有すると共に、ベースを含み、前記ベースは、一組のベース電気的接続部を有し、前記ベース電気的接続部は、前記噴霧電気的接続部と互いに電気的接続するように構成されることを特徴とする、前記噴霧器。
【考案の詳細な説明】
【技術分野】
【０００１】
本考案は、噴霧アセンブリ及びそれを含む噴霧器に関し、特に互いに係合や分離ができる収容部、噴霧部を有する噴霧アセンブリ、及びそれを含む噴霧器に関する。
【背景技術】
【０００２】
一般に、振動方式の噴霧器は、噴孔片と振動片を利用して、霧化する気体を微細な霧に転化して噴出するものである。しかし、従来の振動方式の噴霧器では、上述の噴霧アセンブリが噴霧器主体と一体成型されるので、液体の補充時、液体が浸入して、漏電や故障が発生する可能性がある、あるいは相関する部品の交換時に不便である。
【０００３】
上述の問題に対応して、すでに、噴霧アセンブリと噴霧器本体を個別に形成する設計があるが、これらの改良構造中、噴霧アセンブリと噴霧器主体の接合箇所は、多くが平面構造であり、噴霧器の作動時、すなわち、振動の方式を用いて液体を霧に転化するとき、振動力によって液体が噴霧アセンブリと噴霧器主体の接合の隙間から溢れ、液体の浪費や設備の損壊を生じる。別の固定素子や接着剤を使用して、噴霧アセンブリ及び噴霧本体を固定することも、製造コストを増加させる。
【考案の概要】
【考案が解決しようとする課題】
【０００４】
上述の問題を解決するため、本考案は、噴霧アセンブリ及びそれを含む噴霧器を提供し、噴霧アセンブリが含む収容部及び噴霧部は、互いに対応する係合構造を有し、取り外しと装着が便利である以外に、その他の固定素子がなくても、緊密な結合を達成することができ、従来の噴霧アセンブリの液体漏れによる浪費や設備損壊を防止することができる。
【課題を解決するための手段】
【０００５】
本考案は、収容部と噴霧部を有する噴霧アセンブリを提供する。収容部は、収容本体を有して、収容空間を定義し、収容空間は、霧化する液体を収容し、収容本体上に凹部を有し、且つ、凹部上に第一パターンを有する。噴霧部は、噴霧メカニズム及び噴霧メカニズムと電気的に接続する噴霧電気的接続部を有し、噴霧メカニズムは、第一パターンと対応する第二パターンを有し、噴霧メカニズムは、第二パターンにより凹部上の第一パターンと互いに係合して、着脱可能な方式で収容本体の凹部上に設置される。
【０００６】
好ましくは、第一パターンは、凸紋構造であり、第二パターンは、凹紋構造であり、凸紋構造と凹紋構造は互いに対応する。
【０００７】
好ましくは、第一パターンは、凹紋構造であり、第二パターンは、凸紋構造であり、凹紋構造と凸紋構造は互いに対応する。
【０００８】
好ましくは、第一パターン及び第二パターンは環形である。
【０００９】
好ましくは、本考案の噴霧アセンブリは、更に固定蓋を有し、その形状は、噴霧メカニズム及び噴霧電気的接続部と互いに対応し、且つ噴霧メカニズム及び噴霧電気的接続部を収容本体上で被覆及び固定する。
【００１０】
本考案は、上述の噴霧アセンブリを有すると共に、ベースを含み、ベースが一組のベース電気的接続部を有し、ベース電気的接続部が噴霧電気的接続部と電気的に接続するように構成される噴霧器を提供することをもうひとつの目的とする。
【考案の効果】
【００１１】
液体の使用効率を向上し、設備損壊率を低下させる。
【００１２】
次に、添付図面を参照しながら、本考案が充分理解できるように、考案を説明する。
【図面の簡単な説明】
【００１３】
【図１】本考案の一つの実施態様による噴霧アセンブリを示す図である。
【図２ａ】本考案の一つの実施態様による噴霧アセンブリの分解図である。
【図２ｂ】本考案のもう一つの実施態様による噴霧アセンブリの分解図である。
【図３】本考案の一つの実施態様による噴霧器を示す図である。
【図４】本考案の一つの実施態様による噴霧器のベースを示す図である。
【考案を実施するための形態】
【００１４】
図１を参照すると、本考案により提供される噴霧アセンブリ１０は、収容部２０及び噴霧部３０を有する。収容部２０は、収容本体２２を有し、収容空間２４を定義する。収容空間２４は、霧化する液体を収容する(図示しない)。収容本体２２上に凹部２６を有し、凹部２６上に第一パターンＰ１(図２ａと図２ｂに示される)を有するが、後に説明する。
【００１５】
噴霧アセンブリ１０の噴霧部３０は、噴霧メカニズム３４及び噴霧メカニズム３４と電気的に接続する噴霧電気的接続部３２を有する。噴霧メカニズム３４は、収容本体２２上の凹部２６と対応する位置に位置する。
【００１６】
続いて、図２ａと図２ｂを参照すると、噴霧メカニズム３４は、凹部２６の第一パターンＰ１と相互に対応する第二パターンＰ２を有し、噴霧メカニズム３４は、第二パターンＰ２により凹部２６上の第一パターンＰ１と互いに係合して収容本体２２の凹部２６上に着脱可能な方式で設置される。
【００１７】
本考案の一つの実施態様において、第一パターンＰ１は凸紋構造であり、第二パターンＰ２は凹紋構造であり、凸紋構造と凹紋構造は互いに対応して互いに係合する。
【００１８】
本考案のもう一つの実施態様において、第一パターンＰ１は凹紋構造であり、第二パターンＰ２は凸紋構造であり、凸紋構造と凹紋構造は互いに対応して互いに係合する。
【００１９】
注意すべきことは、上述の実施態様において、第一パターンＰ１及び第二パターンＰ２は、環形で示されているが、本考案はこれに限定されず、互いに対応し係合する各種形状である。
【００２０】
本考案の更にもう一つの実施態様において、本考案の噴霧アセンブリは、図３に示されるように、更に固定蓋４０を有し、固定蓋４０は、噴霧部３０と相互に対応し、すなわち固定蓋４０の形状は、噴霧メカニズム３４及び噴霧電気的接続部３２と相互に対応し、噴霧メカニズム３４及び噴霧電気的接続部３２を、収容部２０上で被覆及び固定することができる。
【００２１】
このほか、接着剤やその他の固定素子を、固定蓋４０と噴霧メカニズム３０の間に設置して、液漏れ防止を一層強化することができる。
【００２２】
図３と図４を同時に参照すると、本考案のもうひとつの目的は、上述の噴霧アセンブリ(収容部２０、噴霧部３０及び固定蓋４０)を含む噴霧器１０００を提供することであり、更に、ベース１００を含む。ベース１００は、一組のベース電気的接続部１１０を有し、噴霧部３０の噴霧電気的接続部３２と電気的接続するように構成される。
【００２３】
ベース電気的接続部１１０は、電力源又は電力ソースを電気的に接続して、噴霧アセンブリ１０が、噴霧電気的接続部３２により、ベース電気的接続部１１０と電気的に接続して、噴霧器１０００を構成する。
【００２４】
一実施態様において、噴霧電気的接続部３２は、一組のピンであり、噴霧アセンブリ１０は、ピン挿入方式によりベース１００のベース電気的接続部１１０を電気的に接続する。
【００２５】
本考案の噴霧器１０００は、使用者の必要に応じて、香料や香水の散布器、空間湿度調整器、保湿美容器になり、あるいは塗布の効果を達成する。
【００２６】
総合すると、本考案により提供される噴霧アセンブリが含む収容部及び噴霧部は、互いに対応するパターンを有し、互いに係合して、収容部及び噴霧部が、着脱可能な接続を達成し、且つ、収容部及び噴霧部の対応パターンと互いに係合する時、その他の固定素子の補助がなくても緊密に固定することができるので、霧化する液体が漏れるのを効果的に防止して、液体の使用効率を向上し、設備損壊率を低下させる。
【００２７】
本考案では、好ましい実施例を前述の通り開示したが、これらは決して本考案に限定するものではなく、当該技術を熟知する者なら誰でも、本考案の精神と領域を脱しない範囲内で各種の変動や修飾を加えることができ、従って本考案の保護範囲は、実用新案請求の範囲で指定した内容を基準とする。
【符号の説明】
【００２８】
１０         噴霧アセンブリ
２０         収容部
２２         収容本体
２４         収容空間
２６         凹部
３０         噴霧部
３２         噴霧電気的接続部
３４         噴霧メカニズム
４０         固定蓋
１００ ベース
１１０ ベース電気的接続部
１０００     噴霧器
Ｐ１         第一パターン
Ｐ２         第二パターン
【図１】
0003202388.tif 000003
【図２ａ】
0003202388.tif 000004
【図２ｂ】
0003202388.tif 000005
【図３】
0003202388.tif 000006
【図４】
0003202388.tif 000007
【手続補正書】
【提出日】平成27年11月24日(2015.11.24)
【手続補正１】
【補正対象書類名】実用新案登録請求の範囲
【補正対象項目名】請求項４
【補正方法】変更
【補正の内容】
【請求項４】
前記第一パターンは、凹紋構造であり、前記第二パターンは、凸紋構造であり、前記凹紋構造と前記凸紋構造は、互いに対応することを特徴とする、請求項１に記載の噴霧アセンブリ。